【手続補正書】
【提出日】平成19年7月2日(2007.7.2)
【手続補正１】
【補正対象書類名】明細書
【補正対象項目名】特許請求の範囲
【補正方法】変更
【補正の内容】
【特許請求の範囲】
【請求項１】  シートを搬送するシート搬送手段と、
前記シート搬送手段によって搬送される前記シートを前記シート搬送手段のシート搬送方向の下流側で案内し、かつ前記シートが積載される案内手段と、
前記案内手段に案内された前記シートを排出するシート排出手段と、
前記案内手段に積載された前記シートのシート搬送方向の上流側端部を受け止めるシート受け止め手段と、
前記案内手段に積載されたシートのシート搬送方向の上流側端部の浮き上がりを押さえるシート押さえ部材と、
前記シート搬送手段より前記下流側で前記シート押さえ部材によって押さえられたシートに処理を施すシート後処理手段と、
を備えていることを特徴とするシート後処理装置。
【請求項２】  シートを搬送するシート搬送回転体対と、
前記シート搬送回転体対によって搬送される前記シートの上面を前記シート搬送回転体対のシート搬送方向の下流側で案内する上下方向に変位可能な搬送上ガイドと、
前記搬送上ガイドに下方で対向して前記シート搬送回転体対によって搬送される前記シートの下面を案内し、かつ該シートが積載される搬送下ガイドと、
前記搬送上ガイド及び前記搬送下ガイドの前記下流側で前記シートを排出搬送する上下方向に配列されたシート排出上回転体及びシート排出下回転体と、
前記シート排出上回転体を有して上下方向に変位可能なアーム部材と、
前記アーム部材を上方へ押し上げて前記シート排出上回転体を前記シート排出下回転体から離間させる昇降手段と、
前記シート搬送回転体対より前記下流側に配設されて前記搬送下ガイドに積載された前記シートに処理を施すシート後処理手段と、
前記昇降手段によって前記アーム部材が上方へ変位したとき、前記搬送上ガイドを上方へ変位させる連動手段と、
前記搬送下ガイドに積載された前記シートのシート搬送方向の上流側端部を受け止めるシート受け止め手段と、
前記搬送上ガイドの変位動作にともなって上下方向に変位可能で、かつ前記搬送下ガイドに積載された前記シートのシート搬送方向の上流側端部の浮き上がりを押さえるシート押さえ部材と、を備え、
前記シート押さえ部材は、前記搬送上ガイドの下流端側が下方に位置するとき前記シートから離れ、前記搬送上ガイドの下流端側が上方に変位したとき前記シートを押さえることを特徴とするシート後処理装置。
【請求項３】  前記搬送上ガイドは上下方向に回動可能に配設され、前記シート押さえ部材は上下方向に回動可能に配設された回動部材であり、前記シート押さえ部材の回動中心位置は前記搬送上ガイドの回動中心位置よりシート搬送方向の上流側に設定されていることを特徴とする請求項２に記載のシート後処理装置。
【請求項４】  前記シート押さえ部材は、前記搬送上ガイドに上下方向に回動可能に設けられていることを特徴とする請求項３に記載のシート後処理装置。
【請求項５】  前記シート押さえ部材は前記搬送上ガイドの下流端側が下方に変位したとき、上端部が固定部材に当接して下端部が前記シートから離れる方向へ回動することを特徴とする請求項４に記載のシート後処理装置。
【請求項６】  前記シート押さえ部材は、固定部材に上下方向に回動可能に設けられていることを特徴とする請求項３に記載のシート後処理装置。
【請求項７】  前記固定部材は、前記シート搬送回転体対の上位の回転体の支持軸であることを特徴とする請求項６に記載のシート後処理装置。
【請求項８】  前記シート押さえ部材は、前記シートを押さえているとき前記シート押さえ部材の下端部が前記シート搬送回転体対のニップより下方に位置することを特徴とする請求項３乃至７のいずれか１項に記載のシート後処理装置。
【請求項９】  前記シート押さえ部材は、前記シートから離れているとき前記シート押さえ部材の下端部が前記シート搬送回転体対のニップより上方に位置することを特徴とする請求項３乃至８のいずれか１項に記載のシート後処理装置。
【請求項１０】  前記シート押さえ部材の下端部を前記シートに接近させる方向に前記シート押さえ部材を回転付勢する付勢手段を備えたことを特徴とする請求項３乃至９のいずれか１項に記載のシート後処理装置。
【請求項１１】  前記シート押さえ部材は、前記シート搬送回転体対の上位の回転体の支持軸に受け止められることを特徴とする請求項１０に記載のシート後処理装置。
【請求項１２】  前記搬送上ガイドと前記アーム部材は、回転中心位置を同じにして上下方向に回動可能に配設されていることを特徴とする請求項２に記載のシート後処理装置。
【請求項１３】  前記昇降手段は、前記アーム部材に常時接触して回転することによって前記アーム部材を上下方向に変位させるカムを有していることを特徴とする請求項２に記載のシート後処理装置。
【請求項１４】  前記シート後処理手段は、上下方向に開口する開口部を有し、前記シート搬送回転体対のニップと前記シート受け止め手段は前記開口部の高さ方向の開口領域内に配設してあることを特徴とする請求項２に記載のシート後処理装置。
【請求項１５】  前記シート後処理手段は、上下方向に開口する開口部を有し、前記開口部の下部が前記搬送下ガイドと略同一高さに配設され、前記開口部の上部が前記下部に対して接近離間可能であることを特徴とする請求項２又は１４に記載のシート後処理装置。
【請求項１６】  前記シート搬送回転体対と、前記搬送下ガイドと、前記シート受け止め手段と、前記シート後処理手段と、前記シート排出上回転体及び前記シート排出下回転体は、略直線状に配設してあることを特徴とする請求項２に記載のシート後処理装置。
【請求項１７】  前記アーム部材を下方位置に位置させて、前記シート排出上回転体及び前記シート排出下回転体によって前記シートを、前記搬送下ガイドを通過させて、排出する第１の処理モードと、
前記アーム部材及び前記シート排出上回転体を上方へ変位させて、送り込まれた前記シートが前記シート搬送回転体対を通過した位置で、所定枚数のシートを前記搬送下ガイドに中間積載し、前記シート後処理手段によって該所定枚数のシートに後処理を施し、前記アーム部材を下方へ変位させ、前記シート排出上回転体及び前記シート排出下回転体によって該所定枚数のシートを排出する第２の処理モードと、
を備えていることを特徴とする請求項２乃至１６のいずれか１項に記載のシート後処理装置。
【請求項１８】  シートに画像を形成する画像形成手段と、
前記画像形成手段によって画像を形成されたシートに後処理を施すシート後処理装置と、を備え、
前記シート後処理装置は、請求項１乃至１７のいずれか１項に記載のシート後処理装置であることを特徴とする画像形成装置。
【手続補正２】
【補正対象書類名】明細書
【補正対象項目名】０００８
【補正方法】変更
【補正の内容】
【０００８】
【課題を解決するための手段】
上記目的を達成するため、本発明のシート後処理装置は、シートを搬送するシート搬送手段と、前記シート搬送手段によって搬送される前記シートを前記シート搬送手段のシート搬送方向の下流側で案内し、かつ前記シートが積載される案内手段と、前記案内手段に案内された前記シートを排出するシート排出手段と、前記案内手段に積載された前記シートのシート搬送方向の上流側端部を受け止めるシート受け止め手段と、前記案内手段に積載されたシートのシート搬送方向の上流側端部の浮き上がりを押さえるシート押さえ部材と、前記シート搬送手段より前記下流側で前記シート押さえ部材によって押さえられたシートに処理を施すシート後処理手段と、を備えている。
【手続補正３】
【補正対象書類名】明細書
【補正対象項目名】０００９
【補正方法】変更
【補正の内容】
【０００９】
上記目的を達成するため、本発明のシート後処理装置は、シートを搬送するシート搬送回転体対と、前記シート搬送回転体対によって搬送される前記シートの上面を前記シート搬送回転体対のシート搬送方向の下流側で案内する上下方向に変位可能な搬送上ガイドと、前記搬送上ガイドに下方で対向して前記シート搬送回転体対によって搬送される前記シートの下面を案内し、かつ該シートが積載される搬送下ガイドと、前記搬送上ガイド及び前記搬送下ガイドの前記下流側で前記シートを排出搬送する上下方向に配列されたシート排出上回転体及びシート排出下回転体と、前記シート排出上回転体を有して上下方向に変位可能なアーム部材と、前記アーム部材を上方へ押し上げて前記シート排出上回転体を前記シート排出下回転体から離間させる昇降手段と、前記シート搬送回転体対より前記下流側に配設されて前記搬送下ガイドに積載された前記シートに処理を施すシート後処理手段と、前記昇降手段によって前記アーム部材が上方へ変位したとき、前記搬送上ガイドを上方へ変位させる連動手段と、前記搬送下ガイドに積載された前記シートのシート搬送方向の上流側端部を受け止めるシート受け止め手段と、前記搬送上ガイドの変位動作にともなって上下方向に変位可能で、かつ前記搬送下ガイドに積載された前記シートのシート搬送方向の上流側端部の浮き上がりを押さえるシート押さえ部材と、を備え、前記シート押さえ部材は、前記搬送上ガイドの下流端側が下方に位置するとき前記シートから離れ、前記搬送上ガイドの下流端側が上方に変位したとき前記シートを押さえるようになっている。
【手続補正４】
【補正対象書類名】明細書
【補正対象項目名】００１０
【補正方法】変更
【補正の内容】
【００１０】
本発明のシート後処理装置における、前記搬送上ガイドは上下方向に回動可能に配設され、前記シート押さえ部材は上下方向に回動可能に配設された回動部材であり、前記シート押さえ部材の回動中心位置は前記搬送上ガイドの回動中心位置よりシート搬送方向の上流側に設定されている。
【手続補正５】
【補正対象書類名】明細書
【補正対象項目名】００１１
【補正方法】変更
【補正の内容】
【００１１】
本発明のシート後処理装置における、前記シート押さえ部材は、前記搬送上ガイドに上下方向に回動可能に設けられている。
【手続補正６】
【補正対象書類名】明細書
【補正対象項目名】００１２
【補正方法】変更
【補正の内容】
【００１２】
本発明のシート後処理装置における、前記シート押さえ部材は前記搬送上ガイドの下流端側が下方に変位したとき、上端部が固定部材に当接して下端部が前記シートから離れる方向へ回動するようになっている。
【手続補正７】
【補正対象書類名】明細書
【補正対象項目名】００１３
【補正方法】変更
【補正の内容】
【００１３】
本発明のシート後処理装置における、前記シート押さえ部材は、固定部材に上下方向に回動可能に設けられている。
【手続補正８】
【補正対象書類名】明細書
【補正対象項目名】００１５
【補正方法】変更
【補正の内容】
【００１５】
本発明のシート後処理装置における、前記シート押さえ部材は、前記シートを押さえているとき前記シート押さえ部材の下端部が前記シート搬送回転体対のニップより下方に位置するようになっている。
【手続補正９】
【補正対象書類名】明細書
【補正対象項目名】００１６
【補正方法】変更
【補正の内容】
【００１６】
本発明のシート後処理装置における、前記シート押さえ部材は、前記シートから離れているとき前記シート押さえ部材の下端部が前記シート搬送回転体対のニップより上方に位置するようになっている。
【手続補正１０】
【補正対象書類名】明細書
【補正対象項目名】００１７
【補正方法】変更
【補正の内容】
【００１７】
本発明のシート後処理装置は、さらに、前記シート押さえ部材の下端部を前記シートに接近させる方向に前記シート押さえ部材を回転付勢する付勢手段を備えている。
【手続補正１１】
【補正対象書類名】明細書
【補正対象項目名】００１８
【補正方法】変更
【補正の内容】
【００１８】
本発明のシート後処理装置における、前記シート押さえ部材は、前記シート搬送回転体対の上位の回転体の支持軸に受け止められるようになっている。
【手続補正１２】
【補正対象書類名】明細書
【補正対象項目名】００２５
【補正方法】変更
【補正の内容】
【００２５】
上記目的を達成するため、本発明の画像形成装置は、シートに画像を形成する画像形成手段と、前記画像形成手段によって画像を形成されたシートに後処理を施すシート後処理装置と、を備え、前記シート後処理装置は、上記いずれか１つのシート後処理装置である。
【手続補正１３】
【補正対象書類名】明細書
【補正対象項目名】００８７
【補正方法】変更
【補正の内容】
【００８７】
図２３（ａ）は、第２の処理モードであるシート後処理モード状態になっているときの、シート後処理装置Ｂ２の主要部の拡大正面図である。
【手続補正１４】
【補正対象書類名】明細書
【補正対象項目名】００９０
【補正方法】変更
【補正の内容】
【００９０】
図２３（ｂ）は、第１の処理モードである単純積載モードになっているときの、シート後処理装置Ｂ２の主要部の拡大正面図である。
【手続補正１５】
【補正対象書類名】明細書
【補正対象項目名】００９５
【補正方法】変更
【補正の内容】
【００９５】
図２４（ａ）は、第２の処理モードであるシート後処理モード状態になっているときの、シート後処理装置Ｂ３の主要部の拡大正面図である。
【手続補正１６】
【補正対象書類名】明細書
【補正対象項目名】００９９
【補正方法】変更
【補正の内容】
【００９９】
図２４（ｂ）は、第１の処理モードである単純積載モードになっているときの、シート後処理装置Ｂ３の主要部の拡大正面図である。
【手続補正１７】
【補正対象書類名】明細書
【補正対象項目名】図２３
【補正方法】変更
【補正の内容】
【図２３】
第２実施形態のシート後処理装置の主要部正面図である。
（ａ）  第２の処理モードであるシート後処理モード状態になっているときの、シート後処理装置の主要部の拡大正面図である。
（ｂ）  第１の処理モードである単純積載モードになっているときの、シート後処理装置の主要部の拡大正面図である。
【手続補正１８】
【補正対象書類名】明細書
【補正対象項目名】図２４
【補正方法】変更
【補正の内容】
【図２４】
第３実施形態のシート後処理装置の主要部正面図である。
（ａ）  第２の処理モードであるシート後処理モード状態になっているときの、シート後処理装置の主要部の拡大正面図である。
（ｂ）  第１の処理モードである単純積載モードになっているときの、シート後処理装置の主要部の拡大正面図である。